(57)【要約】      （修正有）【課題】ランドセルの後方への倒れを防止できるとともに収納時に肩ベルトが傷むことを防止でき肩ベルトの交換も容易な肩ベルト上端取付環を提供する。【解決手段】取付ベース３と取付ベース正面を覆う正面ベースを備える取付環本体と、左右方向に延びる連結孔１５を有する連結部８を上端部に具備して上方部分を取付環本体の上方に突出させた状態で取付環本体内に回動自在に連結された一対の連結用アーム６と、連結用アームの上端部互いに離反する方向への移動を規制するスプリング１０と、肩ベルト上端が固定されるとともに連結孔内に挿入される下辺部分１２を有する一対の連結環１１を具備し、連結孔は、下辺部分が回動自在な大径部２１と下辺部分が回動不能に嵌合可能な嵌合部２２を有するとともに、下辺部分１２が通過可能な開口部を有し、開口部は閉鎖部材２５により開閉自在に閉鎖されている。【選択図】図１
0003209746.tif 000002
【実用新案登録請求の範囲】
【請求項１】
ランドセルの背板の上部に取り付けられる取付ベース（３）と、該取付ベース（３）の正面側を覆う正面側ベース（４）と、を備える中空の取付環本体（２）と、
上方部分を前記取付環本体（２）の上方に突出させた状態で前記取付環本体（２）内に回動自在に連結された、左右方向に延びる連結孔（１５）を有する連結部（８）が上端部に備えられた一対の連結用アーム（６）と、
前記取付環本体（２）内に収容された、前記連結用アーム（６）の上端部が互いに離反する方向に移動することを規制するスプリング（１０）と、
ランドセルの肩ベルトのそれぞれの上端が固定される上辺部分（１３）と、前記連結孔（１５）内に挿入される下辺部分（１２）と、該下辺部分（１２）の端部と前記上辺部分（１３）の端部を連結した垂直辺部分（１４ａ、１４ｂ）と、を有している一対の連結環（１１）と、を有するランドセルの肩ベルト上端取付環（１）であって、
前記連結孔（１５）は、
前記下辺部分（１２）が通過可能な開口部（２３）を有するとともに、該開口部（２３）は、閉鎖部材（２５）により、開閉自在に閉鎖されている、ことを特徴とするランドセルの肩ベルト上端取付環。
【請求項２】
前記連結孔（１５）は、
少なくとも、前記下辺部分（１２）が回動不能に嵌合可能であるとともに、下辺部分（１２）を嵌合したときに肩ベルトの上端部分が上方向に向いた状態になるような形状に形成した嵌合部（２２）と、前記下辺部分（１２）が回動自在な径を有する大径部（２１）のいずれかを有しており、
前記大径部（２１）又は前記嵌合部（２２）のいずれかに前記開口部（２３）が形成されている、ことを特徴とする請求項１に記載のランドセルの肩ベルト上端取付環。
【請求項３】
先端部に掛止環（１８）を有した掛止部（１７）を、下方部分を前記取付環本体（２）内に挿入するとともに、上下方向に移動自在に前記取付環本体（２）に係止した、ことを特徴とする請求項１又は請求項２に記載のランドセルの肩ベルト上端取付環。
【考案の詳細な説明】
【技術分野】
【０００１】
本考案は、ランドセルの肩ベルト上端取付環に係り、より詳しくは、ランドセルが後方へ倒れることを防止するとともに肩ベルトの損傷を防止可能としたランドセルの肩ベルト上端取付環に関する。
【背景技術】
【０００２】
周知のように、ランドセルは肩ベルトのみによって児童の体に支持されるが、このとき、肩ベルトの長さが最適であり、従って肩ベルトのほぼ全体が児童の体にフィットしていれば、ランドセルの重量による負荷は、肩ベルトを介して肩ベルトに当接している児童のからだ全体に加わり、これにより児童が受けるランドセルの重さ感は少なくなる。
【０００３】
しかし、特に入学間もない低学年の場合は、体の大きさに対して肩ベルトを含んだランドセル全体が大きく、また、肩ベルトの長さが短すぎるとランドセルを背負う動作及びこれを降ろす動作をスムーズに行うことができないため、肩ベルトが少し長めになってしまうことが一般的である。そのためかかる場合には、ランドセルを背負った際に、肩ベルトの全体が児童の体に均等にフィットすることが困難となり、ランドセルが児童の後方側へ倒れてしまい、それにより、ランドセル本体の上方部分と児童の背中との間に隙間が生じてしまい、児童の肩の部分にランドセルの加重が集中してしまう。
【０００４】
このとき、入学間もない１年生の場合は、平均体重が２１ｋｇ前後であるのに対して、ランドセルが約１ｋｇ前後、教科書等が約１ｋｇ前後であり、体重の約１割前後を背負うことになるために、ランドセルが児童の背中にフィットしている場合でもランドセルの重さが苦痛となるが、更に、児童の背中とランドセルの背当て部分の間に隙間が生じてしまい、これにより児童が感じるランドセルの重さが大きくなってしまうと、通学が苦痛となってしまい、場合によっては学校へ行きたくなくなってしまうことも考えられる。
【０００５】
そこで、過去において、ランドセルが児童の後方側へ倒れてしまい、それにより、ランドセル本体の上方部分と児童の背中との間に隙間が生じてしまうことを防止するため、肩ベルトを上方向へ向いた状態でランドセルに取り付けることを可能にしたランドセルの肩ベルト上端取付環（以下単に「取付環」と言う。）が提案されている。そして、肩ベルトを上方向へ向いた状態でランドセルに取り付ける方法としては、取付環の左右の揺動レバーの上端に肩ベルトの上端を収容する箱状の挿入部を形成し、この挿入部内に肩ベルトの上端を嵌入して固定する方法や、肩ベルトの上端を取り付ける連結環を取付環の取り付け具に連結する構成において、連結環の取付具に対する回動を拘束する方法等が提案されている。
【０００６】
またランドセルは、通常の使用状態では肩ベルトが背板側に向いて背負える状態にしているが、出荷等のために箱に収納する場合には、肩ベルトを正面側に向けて蓋に沿うようにすることが一般的であり、このとき、肩ベルトを上方向へ向いた状態でランドセルに取り付けることを可能にした取付環を採用している場合には、肩ベルトの上端部分が正面側に向けて折れた状態になってしまい、それにより、肩ベルトが傷みやすくなってしまうという問題点が指摘されていた。
【０００７】
更に、肩ベルトを上方向へ向いた状態でランドセルに取り付けることを可能にした取付環を採用しているランドセルでは、ランドセルを棚等に収納する場合に、棚等の収容スペースが少ない場合には、肩ベルトの上端部分が折れた状態になってしまい、それにより、肩ベルトが傷みやすくなってしまい、棚等の収容スペースが少ない場合に強引にランドセルを収納した場合には、連結環や取付具が壊れてしまうおそれも考えられる。
【０００８】
そこで、本考案者は過去において、ランドセルの肩ベルトのそれぞれの上端が固定される連結環が挿入される連結孔を、連結環が回動自在な大径部と、連結環が回動不能に嵌合可能であるとともに連結環を嵌合したときに肩ベルトの上端部分が上方向に向いた状態になるような形状とした嵌合部で構成した取付環を提案している。そしてこの取付環によれば、嵌合部に連結環を嵌合させることで連結環が回動することを阻止することを可能にし、一方、連結環を大径部に挿入することで連結環を回動自在にすることを可能にしている。そのため、この取付環では、嵌合部に連結環を嵌合させて連結環を回動不能にすることで、肩ベルトを上方向へ向いた状態で固定してランドセルが児童の後方側へ倒れてしまうことを防止することができ、また、連結環を大径部に挿入して連結環を回動自在にすることで、肩ベルトをランドセルの正面側に回した場合やランドセルを棚等に収納する場合に、肩ベルトの上端部分が折れた状態になることを防止することが可能となった（特許文献３参照）。
【先行技術文献】
【特許文献】
【０００９】
【特許文献１】実用新案登録第３１８９７４１号公報
【特許文献２】実用新案登録第３１０５８４９号公報
【特許文献３】実用新案登録第３２０５６０６号公報
【特許文献４】実用新案登録第３１１８０３１号公報
【特許文献５】特開２００４−８１８００号公報
【特許文献６】特開２００３−３３９４１９号公報
【考案の概要】
【考案が解決しようとする課題】
【００１０】
ところで、一般的に、肩ベルトの上端がそれぞれ連結される連結環は、略三角形状であり、連結孔に挿入される下辺部分は長手方向に見た中央部分近傍で切断され、この下辺部分を連結部の連結孔内に挿入する場合には、連結環を変形させながら、それぞれの下辺部分を連結孔の両側から差し込んでいくことで行われる。
【００１１】
一方、前述の特許文献３の取付環では、連結環が回動不能に嵌合可能な嵌合部を連結孔に具備するとともに、嵌合部に回動不能に嵌合させるために、連結環の下辺部分を扁平な形状に成形しているが、下辺部分のみを扁平な形状に成形することは作業が大変であり、更に、扁平に成形した下辺部分を、連結環を変形させながら連結孔の両側から差し込んでいく作業も大変である。
【００１２】
そこで、本考案は、ランドセルの後方への倒れを防止可能であるとともに収納の際に肩ベルトが傷んでしまうことをも防止可能とし、更に、肩ベルトの取り付けや交換を容易にしたランドセルの肩ベルト上端取付環を提供することを課題としている。
【課題を解決するための手段】
【００１３】
本考案のランドセルの肩ベルト上端取付環は、
ランドセルの背板の上部に取り付けられる取付ベースと、該取付ベースの正面側を覆う正面側ベースと、を備える中空の取付環本体と、
上方部分を前記取付環本体の上方に突出させた状態で前記取付環本体内に回動自在に連結された、左右方向に延びる連結孔を有する連結部が上端部に備えられた一対の連結用アームと、
前記取付環本体内に収容された、前記連結用アームの上端部が互いに離反する方向に移動することを規制するスプリングと、
ランドセルの肩ベルトのそれぞれの上端が固定される上辺部分と、前記連結孔内に挿入される下辺部分と、該下辺部分の端部と前記上辺部分の端部を連結した垂直辺部分と、を有している一対の連結環と、を有するランドセルの肩ベルト上端取付環であって、
前記連結孔は、
前記下辺部分が通過可能な開口部を有するとともに、該開口部は、閉鎖部材により、開閉自在に閉鎖されている、ことを特徴としている。
【考案の効果】
【００１４】
本考案のランドセルの肩ベルト上端取付環は、左右方向に延びる連結孔を有する連結部が上端部に備えられた一対の連結用アームと、ランドセルの肩ベルトのそれぞれの上端が固定される上辺部分と連結用アームの連結孔内に挿入される下辺部分とを有している一対の連結環を有するランドセルの肩ベルト上端取付環において、下辺部分が通過可能な開口部を連結孔に有しているとともに、開口部は、閉鎖部材により開閉自在に閉鎖されている。
【００１５】
そのため、閉鎖部材を取り外して開口部を開放し、この開口部より連結孔内に下辺部分を挿入することができるので、連結孔内に下辺部分を挿入する際は、下辺部分を中央部分近傍で切断し、連結環を変形させながら、それぞれの下辺部分を連結孔の両側から差し込んでいく必要が無くなり、連結環の成形作業及び連結環を取付環に取り付ける作業が容易になった。
【図面の簡単な説明】
【００１６】
【図１】本考案のランドセルの肩ベルト上端取付環の実施例を正面から示した図である。
【図２】本考案のランドセルの肩ベルト上端取付環の実施例における取付管本体を説明するための図であり、平面から見た状態を示している。
【図３】本考案のランドセルの肩ベルト上端取付環の実施例における連結環を説明するための図である。
【図４】本考案のランドセルの肩ベルト上端取付環の実施例における連結部を説明するための図である。
【図５】本考案のランドセルの肩ベルト上端取付環の実施例における閉鎖部材を説明するための図である。
【図６】本考案のランドセルの肩ベルト上端取付環の実施例における閉鎖部材を説明するための図である。
【図７】本考案のランドセルの肩ベルト上端取付環の実施例の閉鎖部材の作用を説明するための図である。
【図８】本考案のランドセルの肩ベルト上端取付環の実施例の作用を説明するための断面図である。
【図９】本考案のランドセルの肩ベルト上端取付環の実施例の作用を説明するための断面図である。
【考案を実施するための形態】
【００１７】
本考案のランドセルの肩ベルト上端取付環では、ランドセルの背板の上部に取り付けられる取付環本体を有しており、この取付環本体は、ランドセルの背板の上部に取り付けられる取付ベースと、この取付ベースの正面側を覆う正面側ベースを備えて構成され中空としている。
【００１８】
また、本考案のランドセルの肩ベルト上端取付環では、金属製あるいは樹脂製の一対の連結アームを有しており、この連結アームはそれぞれ、上端部に連結部が備えられ、連結部には、左右方向に延びる連結孔を有する連結部が形成されている。そして、この連結アームはそれぞれ、上方部分を取付環本体の上方に突出させた状態で、取付環本体内に回動自在に連結されているとともに、取付環本体内に配置されたスプリングによって、上端部が互いに離反する方向へ移動することが規制されている。
【００１９】
更に、本考案の肩ベルト上端取付環では、ランドセルの肩ベルトのそれぞれの上端が固定される一対の連結環を有している。そして、この連結環はそれぞれ、ランドセルの肩ベルトの上端が固定される上辺部分と、連結部における連結孔内に挿入される下辺部分と、下辺部分の端部と上辺部分の端部を連結した垂直辺部分を有しており、下辺部分を連結孔内に挿入することで、連結アームに連結され、これにより、ランドセルの肩ベルトを本考案の肩ベルト上端取付環に連結することを可能としている。
【００２０】
そして、前記連結孔は、連結環の下辺部分が通過可能な開口部を有しており、この開口部は、閉鎖部材により、開閉自在に閉鎖されている。
【００２１】
ここで、前記連結孔は少なくとも、下辺部分が回動不能に嵌合可能であるとともに、下辺部分を嵌合したときに肩ベルトの上端部分が上方向に向いた状態になるような形状に形成した嵌合部と、下辺部分が回動自在な径を有する大径部のいずれかを有しており、大径部又は嵌合部のいずれかに前記開口部を形成するとよく、これにより、嵌合部に下辺部分を嵌合させて下辺部分を回動不能にすることで、肩ベルトを上方向へ向いた状態で固定してランドセルが児童の後方側へ倒れてしまうことを防止することができるとともに、下辺部分を大径部に挿入して下辺部分を回動自在にすることで、肩ベルトをランドセルの正面側に回した場合に肩ベルトの上端部分が正面側に向けて折れた状態になることを防止することができる。
【００２２】
また、先端部に掛止環を有した掛止部を、下方部分を取付環本体内に挿入した状態で、上下方向に移動自在に取付環本体に係止するとよく、これにより、ランドセルをフック等に吊るすことが可能となる。
【実施例１】
【００２３】
本考案の取付環の実施例について図面を参照して説明すると、図１は本実施例の取付環の内部構造を正面から示した図である。
【００２４】
そして、図において１が本実施例の取付環であり、本実施例における取付環１は、中空の取付環本体２を有している。即ち、図２が取付管本体２を平面から示した図であり、図において前記取付環本体２は、変形の横長の長方形状としており、取付ベース３と、この取付ベース３とほぼ同じ外形状の正面側ベース４を有しており、正面側ベース４は取付ベース３の正面側（反ランドセル側）に装着されている。
【００２５】
また、前記正面側ベース４は、上辺部分を除いた周縁部に、取付ベース３側に向けて縁部５が突設されており、これにより、前記取付環本体２は中空としていり、ビス等１９によってランドセルの背板の上部に取り付けられている。
【００２６】
次に、図１において６は、連結用アームである。即ち、本実施例の取付環１では一対の連結用アーム６を有しており、この連結用アーム６はそれぞれ、下端部近傍部分が、前記取付環本体２内において、軸７によって回動自在に前記取付環本体２に連結されている。
【００２７】
また、前記一対の連結用アーム６はそれぞれ、上方部分が、前記取付環本体２の上端に形成したスリット部９を貫通し、取付環本体２の上方に突出されており、上端には、ベルトを取り付けるための連結部８が形成されている。
【００２８】
そして前記連結部８には、左右方向に向けて連結孔１５が形成されている。また、前記スリット９の左右側の幅寸法は、前記連結用アーム６の幅寸法よりも長めの寸法に形成しており、これにより、連結用アーム６の左右方向への移動を、所定距離分だけ許容している。なお、連結用アーム６の素材は特に限定されず、金属製、樹脂製等、いずれで構成しても良い。
【００２９】
次に、図において１０はスプリングである。即ち、本実施例の取付環１では、前記取付環本体２内にスプリング１０を収容しており、このスプリング１０によって、前記連結アーム６を、上端部が互いに離反する方向へ移動することを規制している。
【００３０】
そして、この構成により、前記一対の連結用アーム６はそれぞれ、上端部が互いに離反する方向へ力を加えることにより、上端部が互いに離反する方向へ移動して左右方向へ開き、この状態で前記力を解除することで、スプリング１０の付勢力によって、連結用アーム６を初期の状態に戻すことを可能としている。そしてこれにより、ランドセル背負う際にベルトの幅を広げることを可能とし、ランドセルを背負い易くしている。なお、図２において２０は、前記連結用アーム６の上端部が互いに接触する方向へ移動することを防止するためのストッパーであり、このストッパー２０により前記連結用アーム６は、何らの力も加えない状態（通常状態）では、上方に向いた状態となっている。
【００３１】
次に、図において１１は、ランドセルの肩ベルトを前記取付環１に連結するための連結環である。即ち、本実施例の取付環１では、ランドセルの肩ベルトを前記取付環１に連結するための一対の連結環１１を有している。ここで前記連結環１１について説明すると、図３は前記連結環１１を示した斜視図であり、前記連結環１１は、変形の四角形状に成形して構成されており、下辺部分１２と、ランドセルの肩ベルトのそれぞれの上端が固定される上辺部分１３と、前記下辺部分１２の端部と前記上辺部分１３の端部とをそれぞれ連結した垂直辺部分１４ａ、１４ｂとを有している。そして、前記下辺部分１２は前記連結孔１５内に挿入され、それにより、連結環１１を連結用アーム６に連結することとしている。
【００３２】
また、図１に示すように、前記下辺部分１３の内側端部に連設される垂直辺部分の一方側１４ａは下辺部分に対して直交する方向へ連設され、前記下辺部分１３の外側端部に連設される垂直辺部分の他方側１４ｂは下辺部分に対して斜め上方方向へ連設され、更に、他方側１４ｂは一方側１４ａよりも短くしている。従って、前記上辺部分１３は、外側端部が斜め下方に向くように傾斜している。
【００３３】
なお、本実施例において前記連結環１１は、平板材をプレスにより打ち抜くことで形成しており、従って上辺部分１３、下辺部分１２及び垂直片部分１４ａ、１４ｂはそれぞれ、長手方向に見た断面形状が四角形状となっている。但し、本考案において前記連結環１１は、必ずしも、平板材をプレスにより打ち抜くことで形成する必要は無く、その他の方法で形成しても良い。また、上辺部分１３、下辺部分１２及び垂直片部分１４ａ、１４ｂのそれぞれを、長手方向に見た断面形状が四角形状とする必要も無い。
【００３４】
次に、図１において１６は、肩ベルトを上方向へ向いた状態で取付環１に取り付けるけるための回動阻止辺である。即ち、本実施例の取付環１では、前記連結環１１の上辺部分における長手方向に見た中央部分近傍に、上辺部分１３に直交する方向へ向けて回動阻止片１６を連設している。そして、肩ベルトを上辺部分１３に連結する際には、肩ベルトの上端部分で前記回動阻止辺１６を被覆するようにして、肩ベルトの上端部分で前記上辺部分１３を巻き回して、その後に、回動阻止辺１６を挟み込んだ状態で、回動阻止辺１６と肩ベルトをリベット等で貫通して固定し、前記連結環１１に肩ベルトの上端部分を固定している。そしてこれにより、連結環１１に対して肩ベルトが回動することが阻止される。
【００３５】
ここで、前記連結環１１の下辺部分１２が挿入される連結孔１５について説明すると、図４は、前記連結用アーム６における連結部８の近傍を示す斜視図である。そして、本実施例における前記連結孔１５は、大径部と嵌合部により構成されており、この大径部と嵌合部は、互いに連通可能なように連続して形成されている。
【００３６】
即ち、図において２１が大径部であり、この大径部２１は下方側に形成されており、前記下辺部分１２が回動自在の寸法の丸孔としている。そして、この大径部２１の上方側には嵌合部２２が、大径部２１に連続して形成されており、この嵌合部２２は、前記下辺部分１２が回動不能に嵌合可能な形状としている。即ち、前記下辺部分１２の形状に合わせて扁平な形状としている。また、前記嵌合部２２は、前記下辺部分１２を嵌合したときに、前記連結環１１の上辺部分１３に固定した肩ベルトの上端部分が上方向に向いた状態になるような形状に形成している。
【００３７】
そのために、下辺部分１２を嵌合部２２に嵌合して下辺部分１２を回動不能にすると、連結部８に対する連結環１１の回動を阻止することができ、それにより、肩ベルトを上方向へ向いた状態で固定してランドセルが児童の後方側へ倒れてしまうことを防止することができる。この状態を示した図が図８であり、連結部８と連結環１１を側面視野で示している。
【００３８】
一方、下辺部分１２を大径部２１に挿入して下辺部分１２を回動自在にすると、連結部８に対して連結環１１を回動自在にすることができる。そうすると、図６に示すように、肩ベルト２３をランドセルの正面側に回した場合でも、肩ベルト２３の上端部分が正面側に向けて折れた状態になることを防止することが可能である。またこの逆に、肩ベルト２３をランドセルの背板側に回した場合も、肩ベルト２３の上端部分が折れてしまうことを防止することができる。
【００３９】
次に、図４において２３は開口部である。即ち、本実施例においては、前記大径部２１の下方に開口部２３を有しており、この開口部２３は、前記連結環１１の下辺部分１２が通過可能な間口としている。そしてこれにより、この開口部２３を通過させて、前記下辺部分１２を連結孔１５内に挿入可能としている。
【００４０】
そのために、本実施例の取付環１では、下辺部分を中央部分近傍で切断し、連結環を変形させながら、それぞれの下辺部分を連結孔の両側から差し込んでいく必要が無くなり、連結環１１の成形作業が容易であるとともに、連結環１１を連結孔１５に挿入する作業も容易になった。また、連結環１１を連結孔１５に挿入する作業が容易になったために、連結環１１が破損した場合や肩ベルトを交換する場合の連結環１１の交換が容易になった。
【００４１】
次に、図１において２５は、前記開口部２３を開閉自在に閉鎖するための閉鎖部材である。ここで図５及び図６は前記閉鎖部材２５を示す図であり、図５は斜視図、図６は平面図であり、及び図７は前記閉鎖部材２５を取り付けた連結部８の側面を示している。
【００４２】
そして、図において前記閉鎖部材２５は、前記開口部２３を閉鎖可能な幅と奥行きを有した板状としており、開口部２３を閉鎖した場合にベース３側になる先端部分には係止爪２６が突設されている。
【００４３】
一方、前記連結部８には、前記掛止爪２６が係止する係止孔２４が形成されており、係止孔２４に掛止爪２６を係止することで、前記閉鎖部材２５を連結部８に装着して前記開口部２３を閉鎖可能としている。そして、前記連結部８に閉鎖部材２５を装着した状態で、係止爪２６を係止孔２４から抜き出すことで、閉鎖部材２５を連結部８から外し、前記開口部２３を開放ことができる。即ち、前記開口部２３は、閉鎖部材２５により開閉自在に閉鎖されている。
【００４４】
なお、前述の説明では、大径部２１を連結部８の下方側に形成して大径部２１の上方側に嵌合部２２を形成し、大径部２１の下方に開口部２３を形成した場合を説明したが、大径部２１と嵌合部２２の位置関係は特に限定されず、嵌合部２２を下方に形成して大径部２１を嵌合部２２の上方側に形成し、嵌合部２２の下方に開口部２３を形成しても良い。
【００４５】
そして、大径部２１及び嵌合部２２の形状も特に限定されず、下辺部分１２の形状との関係で、大径部２１は、下辺部分１２が回動自在であればよく、従って、前述の実施例では丸孔にしたが、下辺部分１２が回動自在であれば角型であっても良い。また、嵌合部２２も、下辺部分１２が回動不能に嵌合可能な形状であればいずれの形状でも良い。更に、図において前記連結部８は、側面視野を縦長の偏平な形状としているが、必ずしもこの形状には限定されず、左右方向に向けて連結孔１５が形成されていれば良い。
【００４６】
また、連結孔１５は、必ずしも大径部２１と嵌合部２２の双方を備える必要は無く、嵌合部２２又は大径部２１のいずれか一方のみを有する構成としてもよい。即ち、嵌合部２２のみを有してこの嵌合部２２に開口部２３を形成した場合には、下辺部分１２が嵌合部２２に嵌合して、連結部８に対する連結環１１の回動を阻止することができ、それにより、肩ベルトを上方向へ向いた状態で固定してランドセルが児童の後方側へ倒れてしまうことを防止することができる。一方、大径部２１のみを有してこの大径部２１に開口部２３を形成した場合には、連結部８に対して連結環１１を回動自在にすることができ、肩ベルト２３をランドセルの正面側に回した場合でも、肩ベルト２３の上端部分が正面側に向けて折れた状態になることを防止することが可能である。そしていずれの場合でも、前記開口部２３を通過させて前記下辺部分１２を連結孔１５内に挿入することができ、連結環１１を連結孔１５に挿入する作業が容易である。
【００４７】
更に、大径部２１と嵌合部２２の双方を備えた場合において、更に、大径部２１内に挿抜自在に嵌入するピン部材を備えてもよく、これによれば、下辺部分１２を嵌合部２２に嵌合させた後に、大径部２１内にピン部材を嵌入することで、下辺部分１２が嵌合部２２から抜け出てしまうことを防止できる。そしてこのとき、ピン部材の形状等は特に限定されず、大径部２１内に嵌入して下辺部分１２が嵌合部２２から大径部２１内に移動することを防止できればいずれの形状等であってもよい。
【００４８】
次に、図において１７は掛止部である。即ち本実施例の取付環１では、ランドセルをフック等に吊るすための掛止部１７を有しており、この掛止部１７は、無端の縦長の長円状として上端部分を大径の掛止環１８としている。そして、掛止環１８が取付環本体の上方に突出する状態で下方部分が取付環本体２内に、上方への移動自在に挿入され、更に、取付環本体内において、掛止部１７を貫通したビス等の軸部材１９によって、取付環本体２からの飛び出しを阻止されている。
【００４９】
次に、このように構成される本実施例の取付環１の作用について図８及び図９を参照して説明すると、本実施例の取付環１は、一対の連結用アーム６、スプリング１０、掛止部１７を具備した状態で、取付環本体２がビス等１９によってランドセルの背板の上部に取り付けられる。そして、前述したように、前記回動阻止辺１６を被覆するようにして、肩ベルト２３の上端部分を前記上辺部分１３に巻き回して、その後、回動阻止辺１６を挟み込んだ状態で、回動阻止辺１６と肩ベルトをリベット等で貫通して固定し、前記連結環１１に肩ベルト２３の上端部分を固定する。
【００５０】
そして、閉鎖部材２５を連結部８から取外して開口部２３を開放し、この開放した開口部２３を通過させて、肩ベルト２３の上端が連結された連結環１１の下辺部分１２を連結孔１５に挿入し、更にその後に閉鎖部材２５を、係止孔２４内に係止爪２６を係止することで、連結部８に装着する。そうすると、これにより、肩ベルト２３が取付管１に連結されるとともに、肩ベルト２３は回動阻止辺１６によって連結環１１に対する回動が阻止される。
【００５１】
そして、使用状態にするときには、図８に示すように、下辺部分１２を嵌合部２２に嵌合して下辺部分１２を回動不能にする。そうすると、連結部８に対する連結環１１の回動を阻止することができ、肩ベルト２３を上方向へ向いた状態で固定して、ランドセルが児童の後方側へ倒れてしまうことを防止することができる。そのため、ランドセル本体の上方部分と児童の背中との間に隙間が生じてしまい、それにより児童が感じるランドセルの重さが大きくなってしまうことを防止できる。またそのとき、大径部２１内に挿抜自在に嵌入するピン部材を用いて、大径部２１内にピン部材を嵌入してもよく、これにより、下辺部分１２が嵌合部２２から抜け出てしまうことを防止できる。
【００５２】
一方、ランドセルを箱等に収納するために、肩ベルトをランドセルの正面側に回して蓋に沿わせるときには、下辺部分１２を大径部２１に挿入して下辺部分１２を回動自在にする。そうすると、連結部８に対して連結環１１が回動自在になるため、図９に示すように、肩ベルト２３をランドセルの正面側に回して蓋に沿わせた場合でも、肩ベルト２３の上端部分が正面側に向けて折れた状態になることを防止することが可能である。
【００５３】
また、ランドセルを箱等に収納する場合以外のとき、例えば学校や自宅で、ランドセルを肩から下して棚等に収納するときには、下辺部分１２を大径部２１に挿入して下辺部分１２を回動自在にして、肩ベルトが上方に向いた状態で固定されることを解除し、連結環１１を図９と逆方向に倒すことで、肩ベルトの上端部分が収納の邪魔になることを防止することも可能である。
【００５４】
このように本実施例の取付環では、嵌合部に下辺部分を嵌合させて下辺部分を回動不能にすることで、連結環が回動することを阻止して肩ベルトを上方向へ向いた状態で固定することができるとともに、下辺部分を大径部に挿入して下辺部分を回動自在にすることで、連結部に対して連結環を回動自在にして、肩ベルトをランドセルの正面側に回した場合に肩ベルトの上端部分が正面側に向けて折れた状態になることを防止することが可能であり、更に、下辺部分を大径部に挿入して連結部に対して連結環を回動自在にすることで、ランドセルを棚等に収納する際に肩ベルトの上端が収納等の邪魔になることをも防止することができる。そのため、肩ベルトを上方向へ向いた状態で固定してランドセルが児童の後方側へ倒れてしまうことを防止することができるとともに、収納等の際に肩ベルトが傷んでしまうことをも防止することが可能である。
【００５５】
また、本実施例の取付環１では、前記連結環１１の下辺部分１２が通過可能な間口を有する開口部２３を連結孔１５に有しており、この開口部２３を通過させて、前記下辺部分１２を連結孔１５内に挿入可能としているため、連結環１１を連結孔１５に挿入する作業が容易になり、連結環１１が破損した場合や肩ベルトを交換する場合の連結環１１の交換が容易になった。
【産業上の利用可能性】
【００５６】
本考案では、肩ベルトを上方向へ向いた状態でランドセルに固定することができるとともに、収納等の際に肩ベルトが傷んでしまうことをも防止でき、更に肩ベルトの交換が容易であるために、ランドセルの肩ベルト上端取付環の全般に適用可能である。
【符号の説明】
【００５７】
１    取付環
２    取付環本体
３    取付ベース
４    正面側ベース
５    縁部
６    連結用アーム
７    連結用アームを軸支する軸
８    連結部
９    スリット
１０    スプリング
１１    連結環
１２    下辺部分
１３    上辺部分
１４    垂直辺部分
１５    連結孔
１６    回動阻止辺
１７    掛止部
１８    掛止環
１９    ビス
２０    ストッパー
２１    大径部
２２    嵌合部
２３    開口部
２４    係止孔
２５    閉鎖部材
２６    係止爪
【図１】
0003209746.tif 000003
【図２】
0003209746.tif 000004
【図３】
0003209746.tif 000005
【図４】
0003209746.tif 000006
【図５】
0003209746.tif 000007
【図６】
0003209746.tif 000008
【図７】
0003209746.tif 000009
【図８】
0003209746.tif 000010
【図９】
0003209746.tif 000011